(57)【要約】  １つの例において、装置は、走査される文書を受け取るための透明プラテンを含む。この透明プラテンは、走査ラインと、文書経路における走査ラインの前に位置付けられた入口縁部と、文書経路の後ろに位置付けられた面取り加工された出口縁部と、を含む。光源が、文書が走査ラインを横切って通過する間に文書を光で照射するように位置付けられ、焦点調整機構が、文書によって反射された光の一部を光の一部を感知するセンサ上へ合焦するために、位置付けられる。【特許請求の範囲】
【請求項１】
走査される文書を受け取るための透明プラテンであって、走査ライン、走査される前記文書の経路における走査ラインの前に位置付けられた入口縁部、および走査される前記文書の前記経路における前記走査ラインの後ろに位置付けられた、面取り加工した出口縁部を含む、透明プラテンと、
走査される前記文書が前記走査ラインを横切って通過する間に、走査される前記文書を光で照射するための光源と、
走査される前記文書によって反射された前記光の一部を合焦するための焦点調整機構と、
走査される前記文書によって反射され、前記焦点調整機構によって合焦された前記光の前記一部を感知するためのセンサと
を備える、装置。
【請求項２】
面取り加工された前記出口縁部の面取り角が少なくとも５°である、請求項１に記載の装置。
【請求項３】
面取り加工された前記出口縁部の面取り深さが０．７〜１．５ミリメートルである、請求項１に記載の装置。
【請求項４】
面取り加工された前記出口縁部が、前記走査ラインの縁部において始まり、前記透明プラテンの終端部まで延びる、請求項１に記載の装置。
【請求項５】
前記入口縁部と前記走査ラインとの間に位置付けられた基準ラベルであって、前記走査ラインから前記基準ラベルの最も近い縁部までの距離が、前記走査ラインと、前記装置と重ねられている別の装置の走査ラインとの間の横方向距離の半分よりも長い、基準ラベルをさらに備える、請求項１に記載の装置。
【請求項６】
前記幅は５〜７ミリメートルである、請求項５に記載の装置。
【請求項７】
前記基準ラベルの縁部から、前記走査ラインの縁部までの距離が、５〜７ミリメートルである、請求項５に記載の装置。
【請求項８】
走査される前記文書の前記経路における前記出口縁部の直後に位置付けられた静電気放電機構をさらに備える、請求項１に記載の装置。
【請求項９】
前記静電気放電機構は、少なくとも１ミリメートルのピッチを有する静電気放電ブラシを備える、請求項８に記載の装置。
【請求項１０】
前記静電気放電ブラシは粗いストランドを有する、請求項９に記載の装置。
【請求項１１】
走査される文書を受け取るための透明プラテンであって、走査ライン、走査される前記文書の経路における走査ラインの前に位置付けられた入口縁部、および走査される前記文書の前記経路における前記走査ラインの後ろに位置付けられた、面取り加工した出口縁部を含む、透明プラテンと、
前記入口縁部と前記走査ラインとの間に位置付けられた基準ラベルであって、前記走査ラインから前記基準ラベルの最も近い縁部までの距離が、前記走査ラインと、前記装置と重ねられている別の装置の走査ラインとの間の横方向距離の半分よりも長い、基準ラベルと、
走査される前記文書の前記経路における前記出口縁部の直後に位置付けられた静電気放電機構と、
走査される前記文書が前記走査ラインを横切って通過する間に、走査される前記文書を光で照射するための光源と、
走査される前記文書によって反射された前記光の一部を合焦するための焦点調整機構と、
走査される前記文書によって反射され、前記焦点調整機構によって合焦された前記光の前記一部を感知するためのセンサと
を備える、装置。
【請求項１２】
面取り加工された前記出口縁部が、前記走査ラインの縁部において始まり、前記透明プラテンの終端部まで延びる、請求項１１に記載の装置。
【請求項１３】
静電気放電ブラシは、粗いストランドおよび少なくとも１ミリメートルのピッチを有する、請求項１１に記載の装置。
【請求項１４】
文書の第１の側を走査するための第１の走査ラインを備える、第１の走査モジュールと、
前記第１の走査モジュールに重ねられた配置で位置付けられた第２の走査モジュールとを備え、前記第２の走査モジュールが、
前記文書を受け取るための透明プラテンであって、前記文書の第２の側を走査し、前記第１の走査モジュールの前記第１の走査ラインから横方向にずれた第２の走査ライン、前記文書の経路における前記第２の走査ラインの前に位置付けられた入口縁部、および前記文書の前記経路における前記第２の走査ラインの後ろに位置付けられた、面取り加工された出口縁部、を含む透明プラテンを備え、
さらに
前記文書の前記経路における前記出口縁部の直後に位置付けられた静電気放電機構を備える装置。
【請求項１５】
前記第２の走査モジュールが、
前記文書が前記第２の走査ラインを横切って通過する間に、前記文書の前記第２の側を光で照射するための光源と、
前記文書の前記第２の側によって反射された前記光の一部を合焦するための焦点調整機構と、
前記文書の前記第２の側によって反射され、前記焦点調整機構によって合焦された前記光の前記一部を感知するためのセンサと
をさらに備える、請求項１４に記載の装置。
【発明の詳細な説明】
【背景技術】
【０００１】
多機能プリンタ（ＭＦＰ）および他のデバイスを含む、いくつかの走査デバイスは、両面文書を複写することができる。場合によっては、文書をデバイスの自動文書送り装置（ＡＤＦ）を介して供給する際に、これらのデバイスは、２つの分離した走査モジュールを使用して文書の両面を走査する。デバイスの全体サイズを縮小するために、これらの走査モジュールは、それらのそれぞれの走査ラインが互いに数ミリメートルだけ横方向にずれ、それによってＡＤＦを通過する用紙経路を短縮するように位置付けることができる。
【図面の簡単な説明】
【０００２】
【図１】本開示の走査デバイスの一部の、簡略断面図である。
【図２Ａ】図１の第２の走査モジュールの、第１の例のより詳細な概略図である。
【図２Ｂ】図１の第２の走査モジュールの、第２の例のより詳細な概略図である。
【図３】両面文書を走査する方法の１つの例を示す、フロー図である。
【図４】本明細書で説明する機能の実行に使用するのに最適な計算デバイスの、ハイレベルブロック図である。
【発明を実施するための形態】
【０００３】
１つの例において、本開示は、面取り加工した出口縁部を有する走査プラテンを含む接触画像センサ（ＣＩＳ）モジュールを説明する。上述のように、両面文書を複写できるいくつかの走査デバイスは、２つの分離した走査モジュールを、それぞれの走査ライン（例えば焦点）が互いに数ミリメートルだけ横方向にずれるように位置付ける。次に、走査される文書は２つの走査ライン間を通過して、各走査モジュールは文書の片側を（それぞれの走査ラインに沿って）走査する。この構成は、走査デバイスの自動文書送り装置（ＡＤＦ）を通る用紙経路を短縮し、かつデバイスの全体サイズを縮小する。しかしこの構成は、特に走査モジュールがＣＩＳモジュールである場合、文書の第２の側（裏側）を走査する走査モジュールのプラテンに、多量の埃およびごみが堆積することが判っている。埃およびごみの堆積によって、走査された画像または文書の印刷されたコピーに、望ましくない筋が生じる。
【０００４】
本開示の例として、文書の第２の側（裏側）を走査するための接触画像センサモジュールを説明する。文書の出口ポイントにおけるプラテンの縁部（すなわち用紙経路のＣＩＳ走査ラインの後ろ）は、面取り加工面を有する。別の例において、静電気放電（ＥＳＤ）ブラシなどのＥＳＤ機構が、用紙経路の出口ポイントを越えてすぐの箇所に位置付けられる。さらに別の例において、第２の側のＣＩＳモジュールの第１の側（表側）の基準ラベルを、基準ラベルから第２の側のＣＩＳモジュールにおける走査ラインまでの距離が、第１の側および第２の側の走査モジュールにおける走査ライン間の距離の半分よりも長くなるように狭くする。これらの特徴を組み合わせると、第２の側を走査するために使用されるＣＩＳモジュールの走査ラインにおける、埃およびごみの集結が、劇的に減少することが判っている。したがって、ＣＩＳモジュールのプラテンの清掃を削減することができ、走査デバイスの不稼働時間を削減することになる。
【０００５】
本開示の文脈において、走査される文書の「第１」または「表」側は、文書が走査デバイスの自動文書送り装置に供給されるときに、上側または外側に面する文書の側（例えば目に見える側）であることを理解されたい。走査される文書の「第２」または「裏」側は、文書がＡＤＦに供給されるときに、下側または内側に面する文書の側（例えば目に見えない側）である。
【０００６】
図１は、本開示の走査デバイス１００の一部の、簡略断面図を例示する。１つの例において、走査デバイス１００は、プリンタに装備されて多機能プリンタ（ＭＦＰ）を成すが、他の例においては、走査デバイス１００は、シート供給走査機または平面式両面走査機を含む、画像センサ（ＣＩＳ）モジュールを組み込んだ任意のデバイスの一部であってもよい。１つの例において、走査デバイス１００は、自動文書送り装置（ＡＤＦ）１０２および平面式走査機１１６を含む。ＡＤＦ１０２は、走査される文書を、文書が走査デバイス１００の中を通って追随することになる用紙経路１０４に供給し、その一方で平面式走査機１１６は、文書を走査するために少なくとも１つの走査モジュールを収容する。用紙経路１０４は、走査される文書を、ＡＤＦ１０２の構成要素および平面式走査機１１６の構成要素を含む、様々な走査デバイス１００の構成要素に通して、通過させることになる。文書の経路を「用紙経路」として本明細書において説明するが、走査デバイス１００によって処理され得る文書の形態を限定しない。例えば、走査デバイス１００を使用して、用紙以外の材料を含む文書を処理してもよい。
【０００７】
走査デバイス１００は、両面文書１１８を（例えば走査された画像または印刷されたコピーの形態で）複写するように構成された構成要素を含む。例示のように、両面文書１１８の例は、第１の側１２０および反対の第２の側１２２の両方におけるテキストまたは画像を含み、第１の側１２０および第２の側１２２は、文書を平らに置くと同時に見ることができない。したがって、例示されないか、または詳細に説明されない構成要素以外の中で、走査デバイス１００は、第１の走査モジュール１０６および第２の走査モジュール１０８を含んでよい。例示のように、第１の走査モジュール１０６および第２の走査モジュール１０８は、走査される文書が、用紙経路１０４を移動する際に第１の走査モジュール１０６と第２の走査モジュール１０８との間を通過するように重ねられてよい。
【０００８】
第１の走査モジュール１０６は、文書１１８の第１の側１２０（すなわち、文書１１８がＡＤＦ１０２に供給されるときに上側または外側に面する文書１１８の側）を走査する光学素子を備える。したがって、第１の走査モジュール１０６は、接触画像センサ（ＣＩＳ）モジュール、縮小光学系モジュール、または光学素子のいくつかの他の組み合わせを含んでよい。第１の走査モジュール１０６は、第１の走査ライン１１０を備え、それに沿って文書１１８の第１の側１２０（例えば表側）が走査される。
【０００９】
第２の走査モジュール１０８は、文書１１８の第２の側１２２（すなわち、文書１１８がＡＤＦ１０２に供給されるときに下側または内側に面する文書１１８の側）を走査する光学素子を備える。１つの例において、第２の走査モジュール１０８は、図２Ａおよび図２Ｂでさらに例示するように、ＣＩＳモジュールを備えてよい。第２の走査モジュール１０８は、第２の走査ライン１１２を備え、それに沿って文書１１８の第２の側１２２（例えば裏側）が走査される。
【００１０】
例示のように、第１の走査ライン１１０および第２の走査ライン１１２は、用紙経路１０４において互いに横方向にずらされており、それによって、文書１１８の第１の側１２０の走査中に第１の走査モジュール１０６によって放たれた光が、第２の走査モジュール１０８による文書１１８の第２の側１２２における走査と（例えば文書１１８を通した映り込みによって）干渉せず、逆もまた同様である。１つの例において、第１の走査ライン１１０と第２の走査ライン１１２との間の横方向のずれは、概ね１０ミリメートルである。すなわち、第１の走査ライン１１０の終端部と、第２の走査ライン１１２の始端部との間は、概ね１０ミリメートルである（「終端部」および「始端部」は、文書が用紙経路１０４を横断する方向に関連する）。
【００１１】
図２Ａおよび図２Ｂは、図１の第２の走査モジュール１０８の、第１および第２の例それぞれの、より詳細な概略図を例示する。詳細には、図２Ａおよび図２Ｂは、ＣＩＳモジュールとして構成される第２の走査モジュール１０８を例示する。１つの例において（例えば第１の走査モジュール１０６もＣＩＳモジュールとして構成される場合）、第１の走査モジュール１０６は、第２の走査モジュール１０８と実質的に同様に（例えば、光学素子の類似の配置を含み得る）構成されてよい。しかしこの場合、第１の走査モジュール１０６は、透明プラテンの面取り部および基準ラベルなどの構成要素を省略してよい。
【００１２】
図２Ａおよび図２Ｂの両方を参照すると、第２の走査モジュール１０８は一般に、光源２００、焦点調整機構２０４、センサ２０６、および透明プラテン２０８を備える。
【００１３】
文書１１８は、用紙経路１０４に沿って移動して第２の走査モジュール１０８の走査ライン１１２を通る際に、透明プラテン２０８全体を通過する。詳細には、文書１１８は、透明プラテン２０８の入口縁部２１０において走査ライン１１２に接近し、透明プラテン２０８の出口縁部２１２において走査ライン１１２から出ていく。したがって、入口縁部２１０は、用紙経路１０４における走査ライン１１２の前に位置付けられ、一方で出口縁部２１２は、用紙経路１０４における走査ライン１１２の後ろに位置付けられる。
【００１４】
例示のように、１つの例において、出口縁部２１２は、第２の走査モジュール１０８の長さに沿って（すなわち図２Ａおよび図２Ｂの頁に入る寸法に沿って）面取り加工される。１つの例において、面取り角度θ（すなわち、走査ライン１１２と透明プラテン２０８の面取り加工した出口縁部２１２との間の角度）は、少なくとも５°である。別の例において、面取り角度θは少なくとも７°である。１つの例において、面取り部は、走査ライン１１２の縁部において、または走査ライン１１２の縁部の近傍で始まり、透明プラテン２０８の終端部まで延びる。１つの例において、面取り部の深さｄは、０．７〜１．５ミリメートルである。
【００１５】
１つの例において、透明プラテン２０８は、光が通過できるガラスまたは樹脂などの、任意の透明材料を含み得る。
【００１６】
光源２００は、第２の走査モジュール１０８の走査ライン１１２上に入射する、１つまたは複数の方向に光を放つように位置付けられる。したがって、文書１１８が走査ライン１１２を横切って通過するとき、光源２００によって放たれた光の一部は透明プラテン２０８を通過し、文書１１８によって（例えば具体的には文書１１８の第２の側１２２によって）反射される。１つの例において、光源２００は、赤色発光ダイオード（ＬＥＤ）、緑色ＬＥＤ，および青色ＬＥＤを有し、一方の端部に取り付けられた少なくとも１つの光ガイドを備える。例えば、図２Ａは、光源２００が単一の光ガイドを備える例を例示し、一方で図２Ｂは、光源２００が２つの光ガイドを備える例を例示する。光源２００が、図２Ｂに示すように、第２の走査モジュール１０８の出口縁部２１２の近傍から光を放つ場合、出口縁部２１２の面取り部の深さ、角度、および長さ（例えば面取り部が始まって終わる長さ）は、走査ライン１１２の光の経路に干渉しないように選択されてよい。
【００１７】
焦点調整機構２０４は、文書１１８から反射した光の一部を受け取るように、およびこの反射光をセンサ２０６に合焦するように位置付けられる。１つの例において、焦点調整機構２０４は、ロッドレンズなどのレンズである。
【００１８】
センサ２０６は、焦点調整機構２０４によって合焦された反射光を受け、かつ検出するように位置付けられる。文書１１８の第２の側１２２に表示された画像は、センサ２０６によって検出された反射光に基づいて、走査システム１００の別の構成要素によって再現することができる。１つの例において、センサ２０６は光検出器のリニアアレイを備える。
【００１９】
図２Ｂに例示する１つの例において、第２の走査モジュール１０８は、入口縁部２１０と走査ライン１１２との間に位置付けられた基準ラベル２１４をさらに備える。基準ラベル２１４は、第１の走査モジュール１０６によって走査された文書１１８の、走査されたラインにおけるピクセルの色および明度を較正するために使用されるか、または走査される文書の背後で、公知の色または外形の基準を作り出すために、使用され得るラベルである。例えば、基準ラベル２１４は白色ラベル、または較正もしくは基準を作り出すことを容易にする、別の種類のラベルであってよい。１つの例において、基準ラベル２１４は、５〜７ミリメートルの幅ｗを有する。１つの例において、第２の走査モジュール１０８の走査ライン１１２の最も近い縁部（例えば走査ライン１１２の「始端部」）から、基準ラベル２１４の縁部（例えば「終端部」）までの距離ｘは、第１の走査モジュール１０６の走査ライン１１０と、第２の走査モジュール１０８の走査ライン１１２との間の横方向距離の半分よりも大きい（例えば５〜７ミリメートル）。１つの例において、例えば距離ｘは６．４３ミリメートルである。
【００２０】
再び図１を参照すると、静電気放電（ＥＳＤ）ブラシなどのＥＳＤ機構１１４、または他の接地物も、用紙経路１０４の、第１の走査モジュール１０６および第２の走査モジュール１０８の直後の箇所に、用紙経路１０４に沿って（すなわち透明プラテン２０８の出口縁部２１２の近傍に）位置付けられる。ＥＳＤ機構１１４は、静電荷を文書１１８から除去する。例えばこれは、第１の走査モジュール１０６および第２の走査モジュール１０８のプラテンとの、または走査システム１００の他の構成要素との物理的接触から生じ得る。
【００２１】
ＥＳＤ機構１１４がＥＳＤブラシである１つの例において、ＥＳＤブラシは比較的粗いストランドまたはピッチを有する。１つの例において、ＥＳＤ機構１１４は、少なくとも１ミリメートルのピッチを有するＥＳＤブラシである。
【００２２】
第２の走査モジュール１０８における透明プラテン２０８の面取り加工した出口縁部２１２と、第２の走査モジュール１０８の基準ラベル２１４の狭い幅ｗと、ＥＳＤ機構１１４を透明プラテン２０８の出口縁部２１２に（より粗い材料およびピッチを大きくしたブラシと共に使用して）再配置することと、の組み合わせが、透明プラテン２０８上のおよび特に第２の走査モジュール１０８の走査ライン１１２に沿った埃の集結を劇的に減少させることが判った。その結果として、走査された画像、および走査システム１００によって走査された文書の印刷されたコピーに現れる筋が、最小限に抑えられる。例えば、これらの特徴が組み合わされて実施されるとき、少なくとも１つの視認できる筋または少なくとも１つの著しい筋が確認される前に、概ね２４，０００頁まで印刷され得ることを、実験データが示した。したがって、第２の走査モジュール１０８の透明プラテン２０８の清掃を削減することができ、走査システム１００の不稼働時間が短縮し、かつ頻度が減少することになる。
【００２３】
図３は、図１の両面文書１１８などの、両面文書を走査する方法３００の１つの例を例示するフロー図である。方法３００は、例えば図１、図２Ａ、および図２Ｂの走査デバイス１００の制御器によって実行されてよい。代替として、または追加で、方法３００のブロックのうちの少なくとも１つは、図４に以下で例示するように、プロセッサ、メモリ、および入力／出力デバイスを有する計算デバイスによって実施されてよく、具体的には例えば走査デバイス１００の制御回路として操作することによって、方法のブロックを実行するようにプログラムされてよい。計算デバイスは、方法３００の様々なブロックを実行するために具体的にプログラムされ得るが、方法のブロックが走査デバイスの制御器によって実行される例という観点で、次に方法を説明する。したがって、方法３００の説明において図１、図２Ａ、および図２Ｂの様々な構成要素に、非制限の参照が成される。さらに、方法３００は、走査される文書が両面文書（例えば両側に内容を含む文書）であると想定するが、図１、図２Ａ、および図２Ｂに例示する走査デバイス１００は、片面文書（例えば片側に内容を含み、他の側がブランクである文書）を走査するためにも使用され得る。
【００２４】
方法３００はブロック３０２で始まる。ブロック３０４において、制御器は自動文書送り装置（ＡＤＦ）１０２から、ＡＤＦがそのトレイの中に文書１１８が存在することを検出したことを示す信号を受け取る。１つの例において、文書１１８は両側１２０、１２２に画像またはテキストを有する、両面文書である。
【００２５】
ブロック３０６において、制御器は文書１１８を用紙経路１０４に送る。１つの例において、文書１１８を用紙経路１０４に送ることは、ＡＤＦ１０２に信号を送って、文書１１８を用紙経路１０４に供給するようにＡＤＦ１０２に命令することを含んでよい。
【００２６】
ブロック３０８において、文書１１８は、第１の走査モジュール１０６の走査ライン１１０を通過するように誘導される。ブロック３１０において、制御器は、第１の走査モジュール１０６に信号を送って、ラインごとに文書１１８の第１の側１２０の走査を始めるように第１の走査モジュール１０６に命令する。上述のように、第１の走査モジュール１０６は、第２の走査モジュール１０８と実質的に同様に動作してよく、まず走査ライン１１０を照射して、次に文書１１８の第１の側１２０によって反射される光を検出することによって、文書１１８の第１の側１２０を走査してよい。１つの例において、第１の走査モジュール１０６によって文書１１８の第１の側１２０を走査することは、第２の走査モジュール１０８の狭くなった（例えば第２の走査モジュール１０８の走査ライン１１２の最も近い縁部までの距離ｘが、第１の走査モジュール１０６の走査ライン１１０と第２の走査モジュール１０８の走査ライン１１２との間の横方向距離の半分よりも大きい）基準ラベル２１４の画像を取り込むことを含む。取り込まれた画像からの情報は、走査システム１００の別の構成要素が、文書１１８の走査されたラインにおけるピクセルの、色および明度を較正するのに役立つことがある。
【００２７】
ブロック３１２において、文書１１８は、第２の走査モジュール１０８の走査ライン１１２を通過するように誘導される。ブロック３１４において、制御器は、第２の走査モジュール１０８に信号を送って、ラインごとに文書１１８の第２の側１２２の走査を始めるように第２の走査モジュール１０８に命令する。上述のように、第２の走査モジュール１０８は、まず走査ライン１１２を照射して、次に文書１１８の第２の側１２２で反射した光を検出することによって、文書１１８の第２の側１２２を走査する。
【００２８】
ブロック３１６において、制御器は文書１１８を、第１の走査モジュール１０６および第２の走査モジュール１０８から離れるように誘導する。１つの例において、文書１１８が、走査後に第１の走査モジュール１０６および第２の走査モジュール１０８から離れるように誘導される際に、文書１１８は、第２の走査モジュール１０８の面取り加工された出口縁部２１２を通過する。上述のように、出口縁部２１２は、少なくとも５〜７°の面取り角度θ、および０．７〜１．５ミリメートルの深さを有し得る。
【００２９】
ブロック３１８において、制御器は、第２の走査モジュール１０８の出口縁部２１２を通過してすぐの箇所に位置付けられた静電気放電機構１１４を通過するように文書１１８を誘導する。１つの例において、ＥＳＤ機構１１４は、比較的粗い材料から構成され、少なくとも１ミリメートルのピッチを有するＥＳＤブラシである。
【００３０】
方法３００はブロック３２０で終わる。しかし制御器は、文書１１８を用紙経路１０４の終端部に向けて（かつ走査デバイス１００を出るように）誘導するために、ならびに／または、第１の走査モジュール１０６および第２の走査モジュール１０８によって記録された画像データを処理して、文書１１８を、走査された画像もしくは印刷されたコピーとして複写するために、ブロック３２０の後で他の機能を実行してもよい。
【００３１】
図４は、本明細書で説明する機能の実行に使用するのに最適な計算デバイスの、ハイレベルブロック図を示す。図４で示すように、計算デバイス４００は、中央演算処理装置（ＣＰＵ）、マイクロプロセッサまたはマルチコアプロセッサなどのハードウェアプロセッサ要素４０２、ランダムアクセスメモリ（ＲＡＭ）などのメモリ４０４、両面文書を走査するモジュール４０５、限定ではないがテープドライブ、フロッピードライブ、ハードディスクドライブまたはコンパクトディスクドライブを含む記憶デバイスと、レシーバと、トランスミッタと、スピーカと、ディスプレイと、音声合成装置と、出力ポートと、入力ポートと、キーボード、キーパッド、マウス、マイクロフォンなどのユーザ入力デバイスと、などの様々な入力／出力デバイス４０６、を備える。１つのプロセッサ要素を示すが、汎用コンピュータが複数のプロセッサ要素を利用し得ることに留意されたい。さらに、図には１つの汎用コンピュータを示すが、上述の方法が、特定の例示的な例のために、分割または平行して実施される場合、すなわち上記の方法のブロックまたは全体の方法が、複数もしくは平行した汎用コンピュータで実施される場合、この図の汎用コンピュータは、それら複数の汎用コンピュータの各々を表わすことが意図される。
【００３２】
本開示は、機械読み取り可能命令および／もしくは機械読み取り可能命令との組み合わせ、特定用途向け集積回路（ＡＳＩＣ）、フィールドプログラマブルゲートアレイ（ＦＰＧＡ）を含むプログラマブル論理回路（ＰＬＡ）などを使用するハードウェアによって実施できること、または、ハードウェアデバイス、コンピュータ、もしくは任意の他のハードウェア同等物に配置された、例えば、上述の方法に関連するコンピュータ可読命令を使用して、上記で開示した方法のブロック、機能および／もしくは操作を実行するためのハードウェアプロセッサを構成できる状態機械によって実施できることに留意されたい。
【００３３】
１つの例において、両面文書を走査する本モジュールまたはプロセッサ４０５のための命令およびデータ、例えば機械読み取り可能命令は、メモリ４０４に読み込まれ、ハードウェアプロセッサ要素４０２で実行されて、例示の方法３００に関する上述のブロック、機能、または操作を実施することができる。この場合、両面文書を走査するためのモジュール４０５は、コード構成要素または命令を含んでもよい。さらに、ハードウェアプロセッサが命令を実施して「操作」を実行するとき、操作を直接実行し、および／または、操作を実行することを促進するか、導くか、もしくは例えばコプロセッサなどの別のハードウェアデバイスもしくは構成要素と協働する、ハードウェアプロセッサを含み得る。
【００３４】
上述の方法に関する機械読み取り可能命令を実施するプロセッサは、プログラムされたプロセッサまたは専用プロセッサとして認識され得る。したがって本開示の、関連するデータ構造を含む両面文書を走査する本モジュール４０５は、例えば揮発性メモリ、不揮発性メモリ、ＲＯＭメモリ、ＲＡＭメモリ、磁気または光学ドライブ、デバイスもしくはディスケットなど、有形もしくは物理的（広義で非一時的）なコンピュータ可読記憶デバイスもしくは媒体に、記憶させることができる。さらに、コンピュータ可読記憶デバイスは、コンピュータもしくはアプリケーションサーバなどのプロセッサもしくは計算デバイスによってアクセスされるデータ、および／または命令などの情報を記憶する機能を提供する、任意の物理的デバイスを含んでもよい。
【００３５】
上記で開示した変形、ならびに他の特徴および機能、またはそれらの代替が、多くの他の異なるシステムもしくはアプリケーションに組み合わせることができることを、理解されたい。現在は予期できないか、または予想できない様々な代替、変更、またはそれらの変形が実質的に成されてもよく、それらも以下の特許請求の範囲によって含包されることが意図される。
【図１】
2019530320.tif 000002
【図２Ａ】
2019530320.tif 000003
【図２Ｂ】
2019530320.tif 000004
【図３】
2019530320.tif 000005
【図４】
2019530320.tif 000006
【国際調査報告】
2019530320.tif 000007